(57)【要約】      （修正有）【課題】缶から外れにくく、より低コストかつ良好な作業性で組立て及び解体をすることができ、また、より省スペースで保管及び輸送することができる缶用保護カバーを提供する。【解決手段】缶の上面又は下面を覆うカバー部１１、該カバー部から連続し、かつ、缶側面を囲む側面部１２ａ，１２ｂ、該側面部に設けられ、内側へと折込まれる折込部１３、及び側面部の内側に突出して、折込部を係止する爪部１５を備える。本缶用保護カバーは、油及び化学製品等の保管及び輸送に使用する缶の上部、下部、又はそれらの双方を保護するカバーとして有用である。【選択図】図１
0003168164.tif 000002
【実用新案登録請求の範囲】
【請求項１】
缶の上面又は下面を覆うカバー部、
カバー部から連続し、かつ、缶側面を囲む側面部、
側面部に設けられ、内側へと折込まれる折込部、及び
側面部の内側に突出して、折込部を係止する爪部、
を備える、缶用保護カバー。
【請求項２】
直方体状の缶の上面又は下面を覆う略四角形のカバー部、
カバー部から連続し、かつ、缶側面を囲む、４つの側面部、
少なくとも１つの側面部に設けられ、内側へと折込まれる折込部、並びに
折込部を備える側面部に隣接する側面部に設けられた、フラップ部及び爪部、
を備え、
折込部を折込んだ際に、フラップ部が、折込部を備える側面部と折込部との間に挟まれ、かつ、爪部が、側面部の内側に突出して折込部を係止する、請求項１に記載の缶用保護カバー。
【請求項３】
２つの対向する側面部が折込部を有し、かつ、他の２つの側面部の各々が２つのフラップ部及び２つの爪部を有する、請求項２に記載の缶用保護カバー。
【請求項４】
前記爪部が、側面部に切込みを入れて形成される、請求項１から３のいずれか一項に記載の缶用保護カバー。
【請求項５】
前記カバー部が窓部を備える、請求項１から４のいずれか一項に記載の缶用保護カバー。
【請求項６】
前記折込部が缶の突縁部に係合することによって缶に固定される、請求項１から５のいずれか一項に記載の缶用保護カバー。
【考案の詳細な説明】
【技術分野】
【０００１】
本考案は、缶の上部、下部、又はその双方に取付けるための、缶用保護カバーに関する。
【背景技術】
【０００２】
従来、油、化学製品等の輸送に１８リットル缶（１斗缶）等の缶が使用される際、例えば缶の上部、特に、取出口周辺の錆が問題となる。そのため、缶の一部又は全体をダンボール等のカバーで覆い、それを結束バンドで固定することが行われている。しかしながら、結束バンドの使用は、カバーを固定する作業に熟練が必要であり、かつ、コストがかかるため、より簡便かつ安価に缶を保護する手段が望まれている。
【０００３】
そこで、例えば、特許文献１に開示されている組立式の缶用保護カバーには係合孔が設けられている。この缶用保護カバーでは係合孔が缶の突縁部に係合することによってカバーを缶に固定するため、カバーを結束バンドで固定する必要がない。
【０００４】
一方、特許文献２及び３には、缶体上面を覆うカバー部、缶体側面を囲む側面部、内側に折込まれる掛止部を備えた、缶体用カバーが開示されている。特許文献２及び３に開示されているカバーでは、カバー部から連続している複数の側面部を、互いに、連結片及び接着剤等で止着して、カバー部及び側面部の全体を箱状にする。このカバーでは、掛止部が缶体の突縁部に係合することによって、カバーが缶体から外れにくくなるので、カバーを結束バンドで固定する必要がない。
【０００５】
しかしながら、特許文献２及び３に開示されているカバーは、側面部を接着剤等で止着する必要があり、組立て及び解体をする際の作業性に乏しい。また、側面部を止着した状態ではかさばるため、保管及び輸送をするのに適切でない。さらに、折込んだ掛止部が側面部から離れてしまい、折込まれていない状態にまで戻ってしまうことすらあるため、カバーを缶に取付けることが煩雑になる場合がある。
【先行技術文献】
【特許文献】
【０００６】
【特許文献１】意匠登録第１３０９７２４号公報
【特許文献２】登録実用新案第３０５７００１号公報
【特許文献３】意匠登録第１０５８８７５号公報
【考案の概要】
【考案が解決しようとする課題】
【０００７】
したがって、本考案の目的は、缶から外れにくいだけでなく、より低コストかつ良好な作業性で組立て及び解体をすることができ、また、より省スペースで保管及び輸送することができる缶用保護カバーを提供することである。
【０００８】
本考案の他の目的は、缶にバンド結束する必要がなく、かつ、缶に取付けることがより容易である、缶用保護カバーを提供することである。
【課題を解決するための手段】
【０００９】
本考案の目的は、
缶の上面又は下面を覆うカバー部、
カバー部から連続し、かつ、缶側面を囲む側面部、
側面部に設けられ、内側へと折込まれる折込部、及び
側面部の内側に突出して、折込部を係止する爪部、
を備える、缶用保護カバーによって達成される。
【００１０】
本考案の缶用保護カバーは、
直方体状の缶の上面又は下面を覆う略四角形のカバー部、
カバー部から連続し、かつ、缶側面を囲む、４つの側面部、
少なくとも１つの側面部に設けられ、内側へと折込まれる折込部、並びに
折込部を備える側面部に隣接する側面部に設けられた、フラップ部及び爪部、
を備え、
折込部を折込んだ際に、フラップ部が、折込部を備える側面部と折込部との間に挟まれ、かつ、爪部が、側面部の内側に突出して折込部を係止する、
缶用保護カバーであることが好ましい。
【００１１】
前記カバーでは、４つの側面部のうち、２つの対向する側面部が折込部を有し、かつ、他の２つの側面部の各々が２つのフラップ部及び２つの爪部を有することが好ましい。
【００１２】
前記爪部は、側面部に切込みを入れて形成することが好ましい。
【００１３】
本考案の缶用保護カバーを缶の上面に取付ける場合は、前記カバー部は窓部を備えることが好ましい。
【考案の効果】
【００１４】
本考案の缶用保護カバーでは、折込部が缶の突縁部に係合することによって、カバーが缶に固定されて、缶からカバーが外れにくくなる。また、本考案の缶用保護カバーは、接着剤等であらかじめ箱状に形成しておく必要がないため、製造コストが安く、組立て前の状態で保管及び輸送することができるので、省スペースを発揮できるという利点がある。さらに、爪部で折込部を係止するため、折込部が側面部から離れてしまうことがない。そして、カバーを缶に取付ける際に、爪部が缶に押し戻されて引込み、爪部に係止されなくなった折込部が応力により缶側に拡がるため、折込部が缶の突縁部に係合し易くなるという利点もある。
【図面の簡単な説明】
【００１５】
【図１】図１は、本考案の一実施態様の缶用保護カバーの組立て前の状態を示す。
【図２】図２は、図１のカバーの一方の端部を折込もうとする状態を示す。
【図３】図３は、図１のカバーの一方の端部を折込んだ状態を示す。
【図４】図４は、図３の一方の端部を折込んだ状態のカバーの拡大図である。
【図５】図５は、図１のカバーを組立てた状態を示す。
【図６】図６は、組立てた図１のカバーを缶に取付けた状態を示す。
【図７】図７は、図６のＡ−Ａ’縦断面図である。
【考案を実施するための形態】
【００１６】
本考案の缶用保護カバーの一態様を図面を参照して具体的に説明する。
【００１７】
図１は、組立てる前の本考案の缶用保護カバーの一態様である。このカバーは、図１に示すように、缶の上面を覆うカバー部１１、カバー部１１から折線１６ａ及び１６ｂを介して連設された側面部１２ａ及び側面部１２ｂ、側面部１２ａから折線１６ｃを介して連設された折込部１３、側面部１２ｂから折線１６ｄを介して連設されたフラップ部１４、側面部１２ｂに切込みを入れて形成した爪部１５、並びに缶の取手を把持できるようにカバー部１１を切抜いて設けた窓部２１を備える。側面部１２ａ及び側面部１２ｂに対向する側面部にも同様に、それぞれ折込部並びに爪部及びフラップ部を設ける（図１）。
【００１８】
図１に示すカバー部１１の形状は四角形状であるが、缶の上面又は下面に合わせて決定される任意の形状にすることができる。
【００１９】
図１に示すように、側面部１２ａに折込部１３を設け、かつ、対向する側面部にも同様に折込部を設けることが好ましいが、いずれか一方の側面部のみに折込部を設けることもできる。また、図１に示す態様における折込部１３は長方形状であるが、本考案の缶用保護カバーの折込部は、本考案の効果を発揮することができる限りにおいて、任意の形状にすることができる。
【００２０】
また、図１に示す態様におけるフラップ部１４は略四角形状であるが、本考案の缶用保護カバーのフラップ部は、本考案の缶用保護カバーを組立てる際に、折込部を備える側面部と折込部との間に挟まれて、折込部を備える側面部に隣接する側面部を固定することができる任意の形状にすることができる。
【００２１】
図１に示す態様では折込部１３の両端を係止するように爪部１５を設けているが、本考案では、折込部の一端のみを係止するように爪部を設けることもできる。また、図１に示す態様では爪部１５は側面部を切込んで設けているが、本考案では他の任意の手段によって設けることができる。爪部を設けるために側面部を切込む場合には、折込部を係止することができる任意の形状に切込むことができる。
【００２２】
図１に示す態様では、カバー部１１を丸く切抜いて取手３２を外部から把持可能とする窓部２１を設けているが、本考案では、四角形等の任意の形状に切抜くか、又は円弧若しくは放射状等の任意の形状に切込みを入れて窓部を設けることもできる。一方本考案の缶用保護カバーを缶の下部に取付ける際は、窓部を設けなくてよい。
【００２３】
図１のカバーの組立ては、以下のようにして行うことができる。例えば、折線１６ｂをカバー部１１側（内側）に折曲げて側面部１２ｂを立上げ、次に、折線１６ｄをカバー部１１側に折曲げてフラップ部１４を折線１６ａ上又はその近傍に移動させる（図１及び２）。次いで、折線１６ａをカバー部１１側に折曲げて側面部１２ａを立ち上げ、折線１６ｃを折曲げて折込部１３をカバー部１１側に折込む。このとき、フラップ部１４は、側面部１２ａと折込部１３との間に挟まれた状態になる（図３及び４）。次いで、折込んだ折込部１３が側面部１２ａから離れてしまわないように、側面部１２ｂに設けた爪部１５を折線１６ｅでカバー部１１側に折曲げることによって突出させて、折込部１３を仮固定する（図３及び４）。対抗する側面部についても、同時又は別々に、同様に組立てることができる。そのようにして組立てた缶用保護カバーを図５に示す。
【００２４】
図４及び５に示されるように、この態様のカバーでは、折込部１３の先端辺１７とカバー部１１との間に隙間があり、この隙間に缶の突縁部３３が嵌合することによって、カバーが外れにくくなる（図７）。缶の「突縁部」とは、例えば、板金材料によって胴部と天板及び底板を形成し、それらを継合わせて缶を製造する際に形成される、天板と底板の周囲の突縁状の継合わせ部である。対向する側面部にも同様に隙間を設けることができる（図７）。隙間の幅は、当業者によって適切な範囲に選択され得る。
【００２５】
本考案のカバーは缶の上部又は下部に取付けて使用されるが、カバーを缶に取付ける際に、爪部１５は缶に押戻されて引込み（図６）、爪部１５に係止されなくなった折込部１３の先端片１７が応力により缶３１側に拡がるため、折込部１３の先端片１７が缶の突縁部３３に係合し易くなる（図７）。対向する側面部についても同様である。これにより、本考案の缶用保護カバーが缶から外れることを、より確実に防止することができる。
【００２６】
さらに、本考案の缶用保護カバーには、分解のための分離部を設けることもできる。例えば、カバー部及び側面部にミシン目を設けることができる。この場合、ミシン目から本考案の缶用保護カバーを分解することによって、缶からカバーを取外すこともできる。ただし、本考案の缶用保護カバーは、接着剤等を使用しないので、そのような分離部を設けない場合であっても、缶からカバーを容易に取外し、分解することができる。
【００２７】
本考案の缶用保護カバーは、任意の材料、例えば、ダンボール及び厚紙等の紙材料及び樹脂シート等の樹脂材料を使用して製造することができる。
【産業上の利用可能性】
【００２８】
本考案の缶用保護カバーは、油及び化学製品等の保管及び輸送に使用する缶、例えば、１８リットル缶（１斗缶）の上部、下部、又はそれらの双方を保護するカバーとして有用である。
【符号の説明】
【００２９】
１１  カバー部
１２ａ  側面部
１２ｂ  側面部
１３  折込部
１４  フラップ部
１５  爪部
１６ａ  折線
１６ｂ  折線
１６ｃ  折線
１６ｄ  折線
１６ｅ  折線
１７  先端辺
２１  窓部
３１  缶
３２  取手
３３  突縁部
【図１】
0003168164.tif 000003
【図２】
0003168164.tif 000004
【図３】
0003168164.tif 000005
【図４】
0003168164.tif 000006
【図５】
0003168164.tif 000007
【図６】
0003168164.tif 000008
【図７】
0003168164.tif 000009